(57)【要約】【課題】静電霧化装置から便器内に放出する帯電微粒子液を、静電霧化装置から放出される際の流れとは別に形成した拡散用の流れに乗せることで、便器内の細部にまで行き渡らせ、効果的に除菌、脱臭する。【解決手段】ボウル状を成す便器２０に設置され、霧化液を保持する霧化電極に高電圧を印加することで帯電微粒子液を生成して便器２０内に放出する静電霧化装置１であって、便器２０内を旋回する流れを発生させるとともに該流れに乗せて帯電微粒子液を便器２０内に拡散させる送風装置１ｂを具備したものとする。【選択図】図１
2008240379.tif 000002
【特許請求の範囲】
【請求項１】
ボウル状を成す便器に設置され、霧化液を保持する霧化電極に高電圧を印加することで帯電微粒子液を生成して便器内に放出する静電霧化装置であって、便器内を旋回する流れを発生させて帯電微粒子液を便器内に拡散させる送風装置を具備することを特徴とする静電霧化装置。
【請求項２】
便器に設置される便座への人体の着座を検知する着座センサを具備し、着座センサの検知信号に基づいて送風装置のオンオフを制御することを特徴とする請求項１に記載の静電霧化装置。
【請求項３】
トイレ室内への人体の入退室を検知する入退室センサを具備し、入退室センサの検知信号に基づいて送風装置の運転のオンオフを制御することを特徴とする請求項１に記載の静電霧化装置。
【請求項４】
便器に設置される便蓋の開閉を検知する開閉センサを具備し、開閉センサの検知信号に基づいて送風装置の運転のオンオフを制御することを具備することを特徴とする請求項１に記載の静電霧化装置。
【発明の詳細な説明】
【技術分野】
【０００１】
本発明は、便器に設置される静電霧化装置に関する。
【背景技術】
【０００２】
従来から、便器上に設置される便座装置に静電霧化装置を備えることが提案されている（例えば特許文献１〜４参照）。この静電霧化装置を備えることにより、便器内に帯電微粒子液を放出して該便器内を除菌、脱臭することが可能となる。しかし、上記静電霧化装置は、単に帯電微粒子液を便器内に向けて放出するだけのものであり、便器内の隅々にまでは拡散させることが困難であった。
【特許文献１】特開２００５−１５５１５０号公報
【特許文献２】特開２００５−１５５１５２号公報
【特許文献３】特開２００５−３３６８４４号公報
【特許文献４】特開２００５−３３６８４５号公報
【発明の開示】
【発明が解決しようとする課題】
【０００３】
本発明は上記問題点に鑑みて発明したものであって、静電霧化装置から便器内に放出する帯電微粒子液を、静電霧化装置から放出される際の流れとは別に形成した拡散用の流れに乗せることで、便器内の細部にまで行き渡らせ、効果的に除菌、脱臭することを課題とするものである。
【課題を解決するための手段】
【０００４】
上記課題を解決するために本発明を、ボウル状を成す便器２０に設置され、霧化液を保持する霧化電極６に高電圧を印加することで帯電微粒子液を生成して便器２０内に放出する静電霧化装置１であって、便器２０内を旋回する流れを発生させて帯電微粒子液を便器２０内に拡散させる送風装置１ｂを具備したものとする。このようにすることで、静電霧化装置１から便器２０内に放出した帯電微粒子液を、送風装置１ｂにより便器２０内を旋回するように発生させた流れに乗せて該便器２０内の細部にまでに行き渡らせ、効果的に除菌、脱臭することができる。
【０００５】
上記構成の静電霧化装置にあっては、便器２０に設置される便座２への人体の着座を検知する着座センサ４を具備し、着座センサ４の検知信号に基づいて送風装置１ｂのオンオフを制御することが好適である。このようにすることで、送風装置１ｂを効率的に稼動させて省電力化を図ることができる。
【０００６】
また、トイレ室内への人体の入退室を検知する入退室センサ５を具備し、入退室センサ５の検知信号に基づいて送風装置１ｂの運転のオンオフを制御することも好適である。このようにすることで、送風装置１ｂを効率的に稼動させて省電力化を図ることができる。
【０００７】
また、便器２０に設置される便蓋３の開閉を検知する開閉センサを具備し、開閉センサの検知信号に基づいて送風装置１ｂの運転のオンオフを制御することも好適である。このようにすることで、送風装置１ｂを効率的に稼動させて省電力化を図ることができ、例えば便蓋３が閉状態にあるときに運転をオンにする制御とすれば、密閉された便器２０内に効率的に流れを発生させることができる。
【発明の効果】
【０００８】
請求項１に係る発明は、静電霧化装置から便器内に放出する帯電微粒子液を、静電霧化装置から放出される際の流れとは別に形成した拡散用の流れに乗せることで、便器内の細部にまで行き渡らせ、効果的に除菌、脱臭することができるという効果を奏する。
【０００９】
また請求項２に係る発明は、請求項１に係る発明の効果に加えて、着座センサに基づいて送風装置を効率的に稼動させ、省電力化を図ることができるという効果を奏する。
【００１０】
また請求項３に係る発明は、請求項１に係る発明の効果に加えて、入退室センサに基づいて送風装置を効率的に稼動させ、省電力化を図ることができるという効果を奏する。
【００１１】
また請求項４に係る発明は、請求項１に係る発明の効果に加えて、便蓋の開閉センサに基づいて送風装置を効率的に稼動させ、省電力化を図ることができ、例えば便蓋が閉状態にあるときに運転をオンにする制御とすれば、密閉された便器内に効率的に流れを発生させることができるという効果を奏する。
【発明を実施するための最良の形態】
【００１２】
以下、本発明を添付図面に示す実施形態に基づいて説明する。図１、図２には、本発明の実施形態における一例の静電霧化装置１を示している。本例の静電霧化装置１は、ボウル状を成す便器２０の後部上面に載置される便座装置本体１５の下部に設置されたものであり、帯電微粒子液を生成して放出する静電霧化装置本体１ａと、この静電霧化装置本体１ａから放出される帯電微粒子液の流れとは別の流れを便器２０内に発生させる送風装置１ｂとから成る。なお、本文中に用いる前後、上下方向等の各方向は、便器２０に設置された状態を規準とする。
【００１３】
上記便座装置本体１５は、上下回動自在に連結される環状の便座２と、同じく上下回動自在に連結されて便座２の上面全体を覆う便蓋３とを備えたものである。また、便座装置本体１５の前面には、便座２への人体の着座を検知する着座センサ４や、便器２０が設置されるトイレ空間内への人体の入退室を検知する入退室センサ５が備えてある。
【００１４】
上記静電霧化装置本体１ａは、ナノメータサイズの粒径を含む微細なミスト状の帯電微粒子液を生成して便器２０の内部空間Ｓに放出し、帯電微粒子液の作用で除菌、脱臭を行うものであって、図２中に概略的に示すように、細長棒状の霧化電極６と、この霧化電極６に対して霧化液を供給する手段となるペルチェモジュール７と、霧化電極６の先端部と対向する箇所に設置されるリング状の対向電極８と、対向電極８との間で霧化電極６に高電圧を印加することで該霧化電極６が保持する霧化液を基に帯電微粒子液を生成する電圧印加手段（図示せず）と、生成された帯電微粒子液を外部に放出するための放出口９とで主体を形成している。
【００１５】
上記ペルチェモジュール７は、冷却板から成る冷却部７ａと、放熱フィンから成る放熱部７ｂとを有する。この冷却部７ａに霧化電極６を立設することで該霧化電極６自体を冷却し、霧化電極６の表面に霧化液となる結露水を生成させる構造である。また上記放出口９は、便器２０の内部空間Ｓの後部上側に位置し、且つ前方に向けて開口したものであって、帯電微粒子液を前方に向けて放出するようになっている（図１、図２中の矢印Ａ参照）。
【００１６】
そして、上記静電霧化装置本体１ａの下側に連結されて位置する送風装置１ｂは、前面に送風口１０を開口させたケース１１内にファンモータ１２を配したものであり、送風口１０を通じて便器２０の内部空間Ｓに送風を行うようになっている（図２中の矢印Ｂ参照）。内部空間Ｓの後部に位置する送風装置１ｂからの送風は、内部空間Ｓ内において前方に向けて略水平に送り込まれ、便器２０の前壁内面に当たって該内面沿いに四方に分流する。分流した各流れはそのまま便器内を旋回する流れとなり、上記送風を継続的に発生させることで便器２０の内部空間Ｓには該内部空間Ｓを旋回する流れ（以下「旋回流」という）が生じることとなる。
【００１７】
送風装置１ｂにより生じる上記旋回流は、静電霧化装置本体１ａから帯電微粒子液が放出される流れとは別に生じたうえで、静電霧化装置本体１ａから放出された帯電微粒子液を乗せて内部空間Ｓを隅々にまで回る。つまり、上記旋回流に乗せることで帯電微粒子液を便器２０内の隅々にまで拡散させ、細部に至るまで確実に除菌、脱臭をすることができる。
【００１８】
図３には、着座センサ４の検知結果に基づいて静電霧化装置本体１ａ及び送風装置１ｂの運転のオンオフを制御する場合の制御例を示している。この制御例では、着座センサ４により人体が便座２上面に着座している状態（以下「着座オン状態」という）にあると検知される場合には、静電霧化装置本体１ａ側において霧化電極６への高電圧印加（即ちこれによる帯電微粒子液の生成及び放出）をオフにするとともに、送風装置１ｂ側におけるファンモータ１２への電圧印加（即ちこれによる送風の発生）もオフにしておく。そして、着座センサ４により人体が便座２上面に着座していない状態（以下「着座オフ状態」という）にあると検知される間に、霧化電極６とファンモータ１２への電圧印加を共にオンとし、霧化電極６の先端部にて静電霧化現象により帯電微粒子液を生成して便器２０内に放出するとともに、この放出された帯電微粒子液を、ファンモータ１２より発生させた旋回流に乗せて便器２０内に行き渡らせる。なお、着座センサ４により着座オフ状態になったと検知されてから所定時間経過した時点で、霧化電極６とファンモータ１２への電圧印加をオフにするように設けてもよい。
【００１９】
図４には、入退室センサ５の検知結果に基づいて静電霧化装置本体１ａ及び送風装置１ｂの運転のオンオフを制御する場合の制御例を示している。この制御例では、入退室センサ５により人体が入室状態にあると検知される場合には、静電霧化装置本体１ａ側の霧化電極６への高電圧印加と、送風装置１ｂ側のファンモータ１２への電圧印加を共にオフにしておく。そして、入退室センサ５により人体が退室状態にあると検知される間に、霧化電極６とファンモータ１２への電圧印加を共にオンとし、霧化電極６の先端部にて静電霧化現象により帯電微粒子液を生成して便器２０内に放出するともに、この放出された帯電微粒子液を、ファンモータ１２より発生させた旋回流に乗せて便器２０内に行き渡らせる。なお、入退室センサ５により退室状態になったと検知されてから所定時間経過した時点で、霧化電極６とファンモータ１２への電圧印加をオフにするように設けてもよい。
【００２０】
図５には、便蓋３の開閉を検知する開閉センサ（図示せず）を備えておき、この開閉センサの検知信号に基づいて静電霧化装置本体１ａ及び送風装置１ｂの運転のオンオフを制御する場合の制御例を示している。この制御例では、開閉センサにより便蓋３が開状態にあると検知される場合には、静電霧化装置本体１ａ側の霧化電極６への高電圧印加と、送風装置１ｂ側のファンモータ１２への電圧印加を共にオフにしておく。そして、開閉センサにより便蓋３が閉状態にあると検知される間に、霧化電極６とファンモータ１２への電圧印加を共にオンとし、霧化電極６の先端部にて静電霧化現象により帯電微粒子液を生成して便器２０内に放出するともに、この放出された帯電微粒子液を、ファンモータ１２より発生させた旋回流に乗せて便器２０内に行き渡らせる。
【００２１】
このとき、便器２０の内部空間Ｓは便蓋３により密閉された状態にあるので、内部空間Ｓ内には旋回流が効率的に発生し、帯電微粒子液が細部にまで行き渡ることになる。なお、開閉センサにより便蓋３が閉状態になったと検知されてから所定時間経過した時点で、霧化電極６とファンモータ１２への電圧印加をオフにするように設けてもよい。
【図面の簡単な説明】
【００２２】
【図１】本発明の実施形態における一例の静電霧化装置の設置状態を示す斜視図である。
【図２】同上の静電霧化装置の設置状態を説明するための一部断面図である。
【図３】同上の静電霧化装置の着座センサに基づく制御例を説明するタイムチャートである。
【図４】同上の静電霧化装置の入退室センサに基づく制御例を説明するタイムチャートである。
【図５】同上の静電霧化装置の便蓋の開閉センサに基づく制御例を説明するタイムチャートである。
【符号の説明】
【００２３】
１  静電霧化装置
１ｂ  送風装置
２  便座
３  便蓋
４  着座センサ
５  入退室センサ
６  霧化電極
２０  便器
【図１】
2008240379.tif 000003
【図２】
2008240379.tif 000004
【図３】
2008240379.tif 000005
【図４】
2008240379.tif 000006
【図５】
2008240379.tif 000007